(57)【要約】【課題】  本考案はゴミ集積所の公道使用面積を最小限にとどめるためゴミ袋を安全に高く積み上げる事ができ、且つ未使用時に公道脇に折畳み収納もできる綺麗でより安全なゴミ集積所用ゴミ箱を提供する。【解決手段】  本考案は天部枠１と下部枠２と底部枠３とを背面支柱５にて連結させ、天部枠１に天蓋用の被い材を止着させ下部枠２には全体の被い材Ｂの正面と裏面のそれぞれに垂直方向に分割させたものを係止させ、この被い材Ｂの下端部を底部枠３に止着させることにより、被い材の正面及び裏面にそれぞれ▲１▼と▲２▼の開閉自在の開口部のある当該空間ができ、この当該空間は未使用時に天部枠１と下部枠２とが背面支柱の折曲部を手前方向に直角に可倒させることで背面支柱と平行の折畳み状態を呈し、底部枠も同様に背面支柱の折曲部を手前方向に直角に引き上げることで、背面支柱と平行の折畳み状態を呈するようにした。【選択図】  図１
0003107175.tif 000002
【実用新案登録請求の範囲】
【請求項１】
町会で使用するゴミ箱であり、天蓋用の天井ネットを止着させるための天部枠と、全体の被い材を係止させ且つ開閉自在にさせるための役物である吊下げフックリングを通すための下部枠と、その被い材の下端部を止着させるための底部枠との三個の枠を、ゴミ箱本体を固定取り付けするためのアームバーを備えた直棒状の伸縮自在の二連式背面支柱にてそれぞれ連結させたものを全体の構成枠とし、この構成枠に網状等の被い材を配し各枠に止着等させることで当該空間を成し、この当該空間は折畳み機能を備えていることを特徴とした町会用ゴミ箱。
【請求項２】
被い材の正面と裏面にはそれぞれ開閉自在のゴミ袋投入及びゴミ袋取り出し用の開口部を設けてある請求項１記載の町会用ゴミ箱。
【請求項３】
ゴミ箱固定取り付け用のアームバーにはブロック塀及びアルミフェンスの固定専用に専用のクランプ材とフック棒が補助部品としてある請求項１記載の町会用ゴミ箱。
【請求項４】
二連式背面支柱の上段パイプの上部及び下段パイプ下部に伸展固定及び折り曲げ機能を設けた請求項１記載の町会用ゴミ箱。
【考案の詳細な説明】
【技術分野】
【０００１】  本考案は、各町会等で使用するゴミ集積所において、小スペースでもゴミを整理しながら安全に積み上げることができるよう工夫されており、且つ未使用時には通行障害の原因にならないよう折畳み収納のできる公道上で使用するには最適な町会用ゴミ箱に関するものである。
【背景技術】
【０００２】  過去に各行政より箱型のゴミ箱が提供されていたが、箱型のゴミ箱は維持の問題、スペースの問題、安全性の問題等で排除傾向にあり、現在ほとんどの地域で見られなくなってきている。【０００３】  よって、国内における各町会ごとのゴミ集積所の多くが、実態として集積場所の指定があっても明確な集積範囲の表示が無く、不用意に公道面積を占有する形で歩道及び路側帯などを使用することが多い。【０００４】  また、ゴミ収集日になると町のいたるところでゴミ集積範囲の定まるところのない、可変的なゴミ袋の山ができ、町の環境、町の美化という観点からもこのようなあり方は好ましいとはいえない。【０００５】  また、交通安全、安全通行という着眼点でゴミ集積所の改善策が実施されているケースは記憶になく、最近になり折畳式ゴミ箱が発明されてはいるが、既発明はゴミを捨てる当事者がゴミを整理しながら置く、又は高く積み上げるという行為がしずらく、一度ゴミ集積所に設置すると、ゴミ廃棄量の多い日若しくはごみ廃棄量の多い地域に於いては形状的に公道スペースの過使用を引き起こし易いという欠点がある。（例えば、特許文献１参照）
【特許文献１】特開２００１−１７１８０４号（第１−６項）
【考案の開示】
【考案が解決しようとする課題】
【０００６】  上述の様に現在ごみ集積所の多くが、ゴミ廃棄量の多いときには公道沿いに長さ数メートルにわたりゴミ袋が置かれたり、高く積むために公道使用面積を広く使用することを余儀なくされているのが実態で、その事が通行人の通行の妨げになるだけではなく、ゴミ収集作業の手間取りによるゴミ収集作業車の長時間停車を招いたりと、ゴミ集積所周辺の道路環境と交通環境に悪影響を及ぼすケースも少なくない。【０００７】  ゴミ集積所の集積範囲の不規則な使用方法は、ゴミ袋が散乱の様相を呈したようにも見受けられることもあり、町そのものの美観をも損ねる。【０００８】  本考案は、小面積の限られた場所でも安全にゴミ袋を高く積み上げることができ、且つゴミ箱未使用時も公道通行者等の安全を考慮しゴミ箱を公道脇に折畳んで置くこともできるため上述の問題を解決しようとするものであり、綺麗でより安全なゴミ集積所を実現させることを目的とするものである。
【課題を解決するための手段】
【０００９】  本考案は、長方円形状に囲まれた天部枠と、全体の被い材を一部開閉自在にするためのフックリングを通す為の同形状の下部枠と、その被い材の下端部を止着させ且つＧＬ面と接地する同形状の底部枠との三個の枠を、固定取り付け用のアームバーを備えたネジ止め式の二連式伸縮機能を有した直棒パイプを背面支柱として連結させこれを全体の構成枠とし、且つこの二連式直棒パイプの上下部には折曲機能を有しており、天部枠には被い材を止着させ、下部枠には被い材の正面と裏面のそれぞれに垂直方向に分割させた被い材を係止させ、この被い材の下端部を底部枠に止着させることにより、被い材の正面及び裏面に開閉自在の当該空間ができ、この当該空間の設置背面がガードレール若しくは電柱等の場合は、太紐若しくは針金等を用いて固定取り付け用アームバーとこれらを結束固定でき、また、設置背面がブロック塀若しくはアルミフェンス等の場合も、取り付け用アームバーに専用クランプと専用フック棒とを補助器具として用いこれらに取り付け固定できるため、安全にゴミ袋を高く積み上げることが可能で、且つ未使用時には天部枠と下部枠部分を二連式直棒パイプの折曲部を手前方向に直角に可倒させることで背面支柱と平行の折畳み状態を呈し、底部枠も同じく二連式直棒パイプの折曲部を手前方向に直角に引き上げることで、背面支柱と平行の折畳み状態を呈することができるため前述の問題点を解決している。
【考案の効果】
【００１０】  上述のように、ゴミ袋を上方向に高く積むことが可能なゴミ箱の利用で、ゴミ袋の散乱はもとより公道使用面積を最小限一定面積にとどめることができ、このことにより収集作業時の作業範囲も限定されるので作業効率も改善され、且つゴミ収集日以外の未使用時には、人及び通行車両等の通行の妨げにならないよう、ゴミ箱を公道脇に折畳んで置くこともできるため、交通環境及び道路環境と住環境とを考慮した、より安全で綺麗なゴミ集積所のゴミ箱として役立つ。
【考案の実施するための最良の形態】
【００１１】  長方円形状に囲まれた天部枠と、全体の被い材を一部開閉自在にするためのフックリングを通す為の下部枠と被い材下端部を止着させ且つＧＬ面と接地する底部枠とを、固定取り付け専用のアームバーを備えたネジ止め式の二連式伸縮機能を有した直棒パイプを背面支柱として連結させ、これを全体の構成枠とし、且つこの二連式直棒パイプは上段部上方部及び下段部下方部にはそれぞれスライド式固定筒による伸展固定と折曲機能を有しており、この背面支柱の上下の折曲機能部をスライド式固定筒により箇々に垂直方向に伸展固定させると、天部枠及び下部枠は背面支柱により、又天部枠及び下部枠と背面支柱は底部枠により各々支持され、且つ天部枠と下部枠及び底部枠は平行の状態を呈し、天部枠には被い材を止着させ、下部枠には全体を被うための被い材の正面と裏面のそれぞれに垂直方向に分割させたものを係止させ、この被い材の下端部を底部枠に止着させることにより、被い材の正面及び裏面が開閉自在の当該空間ができ、この当該空間の設置背面がガードレール若しくは電柱等の場合は、太紐若しくは針金等を用い固定取り付け用のアームバーとこれらを結束固定でき、また、設置背面がブロック塀若しくはアルミフェンス等の場合も、取り付け用のアームバーに専用クランプと専用フック棒とを補助器具として用いこれらに取り付け固定できるため、安全にゴミ袋を高く積み上げることが可能で、且つ未使用時には天部枠と下部枠部分を背面支柱上段上方部の折曲部を手前方向に直角に可倒させることで背面支柱と平行の折畳み状態を呈し、底部枠は背面支柱下段下方部の折曲部を手前方向に直角に引き上げることで、背面支柱と平行の折畳み状態を呈することができる。
【実施例】
【００１２】  以下、添付図面に従って一実施例を説明する。長方円形状で囲んだ枠に被い材Ａを止着させた天部枠１と、全体の被い材Ｂを一部開閉自在にするためのフックリング（図示なし）を通す為の下部枠２と被い材Ｂ下端部を係止させ且つＧＬ面と接地する底部枠３とを、固定取り付け専用のアームバー４を備えたネジ止め式の二連式伸縮機能を有した直棒パイプを背面支柱５として連結させたものを全体の構成枠とした。【００１３】  且つこの二連式直棒パイプは上段部上方部及び下段部下方部のそれぞれにスライド式固定筒６による伸展固定と折曲機能を有しており、この背面支柱５の上下の折曲機能部（図示なし）をスライド式固定筒６により箇々に垂直に伸展固定させると、天部枠１及び下部枠２は背面支柱５により、又、天部枠１及び下部枠２と背面支柱５は底部枠３により各々支持され、且つ天部枠１と下部枠２と底部枠３は平行の状態を呈するため立体構造になる。【００１４】  そして、天部枠１には被い材Ａを止着させ、下部枠２には全体の被い材Ｂの正面と裏面のそれぞれを垂直方向に分割させたものを係止させ、この被い材Ｂの下端部を底部枠３に止着させることにより、被い材の正面及び裏面にそれぞれ▲１▼と▲２▼の開閉自在の開口部のある当該空間できる。【００１５】  この当該空間は未使用時には天部枠１と下部枠２を背面支柱５の上段上方部に備えたスライド式固定筒６を上方に引き上げ折曲部を手前方向に直角に可倒させることで背面支柱５と平行の折畳み状態を呈し、底部枠３も同様に背面支柱５の下段下方部に備えたスライド式固定筒６を引き上げ折曲部を手前方向に直角に引き上げることで、背面支柱５と平行の折畳み状態を呈する。【００１６】  また、当該ゴミ箱の設置方法は、設置背面がガードレールＤ若しくは電柱等の場合、太紐Ｅ若しくは針金等を用い固定取り付け用アームバー４とこれらを結束固定させる方法と、また設置背面がブロック塀Ｃ若しくはアルミフェンス等の場合、専用クランプ７と専用フック棒８を補助部品として装着し専用締め付けネジ９により締め付け固定させた固定取り付け用アームバー４によりこれらに固定取り付けする方法がある。
【図面の簡単な説明】
【００１７】
【図１】本考案の一実施例を使用状態で示した全体の斜視図である。
【図２】構成枠のみの折畳みの状態を示した斜視図である。
【図３】被い材の開口状態を示した正面図である。
【図４】同じく被い材裏面の開口状態を示した正面図である。
【図５】構成枠のみのブロック塀に設置した場合を示した側面図である。
【図６】同じく構成枠のみのガードレールに設置した場合を示し、且つ構成枠の折畳み方向及び折畳み状態を示した側面図である。
【図７】固定取り付け用アームバーに専用クランプ及び専用フック棒を使用した状態の一部を示した拡大斜視図と、同じく固定取り付け用アームバーに太紐を使用した状態の一部を示した拡大斜視図である。
【符号の説明】
【００１８】１  天部枠                    ▲１▼表面開口部（ごみ袋投入口・取り出し口）
２  下部枠                    ▲２▼裏面開口部（ごみ袋取り出し口）
３  底部枠                    ▲３▼ブロック塀
４  固定取り付け用アームバー  ▲４▼ガードレール
５  背面支柱
６  スライド式固定筒
７  専用クランプ
８  専用フック棒
９  専用締め付けネジ
１０太紐
Ａ  天部枠用被い材
Ｂ  全体被い材
【図１】
0003107175.tif 000003
【図２】
0003107175.tif 000004
【図３】
0003107175.tif 000005
【図４】
0003107175.tif 000006
【図５】
0003107175.tif 000007
【図６】
0003107175.tif 000008
【図７】
0003107175.tif 000009